【手続補正書】
【提出日】平成16年3月18日(2004.3.18)
【手続補正１】
【補正対象書類名】明細書
【補正対象項目名】発明の名称
【補正方法】変更
【補正の内容】
【発明の名称】電気光学装置及び投射型表示装置


【手続補正２】
【補正対象書類名】明細書
【補正対象項目名】特許請求の範囲
【補正方法】変更
【補正の内容】
【特許請求の範囲】
【請求項１】
一対の基板間に挟持された電気光学物質と、
画像表示領域と、
前記一対の基板の一方の基板に前記画像表示領域を規定する枠状の導電性の遮光膜と、
前記遮光膜に電気的に接続された電極と、
前記一対の基板の他方の基板からの電位を前記遮光膜を介して前記電極に供給するために、前記他方の基板に設けられた上下導通材と前記遮光膜とを導通することを特徴とする電気光学装置。
【請求項２】
前記遮光膜と前記上下導通材との導通は、複数個所で導通されることを特徴とする請求項１に記載の電気光学装置。
【請求項３】
前記遮光膜の外周に対応する一対の基板間に前記電気光学物質を封入するシール材が設けられていることを特徴とする請求項１又は２に記載の電気光学装置。
【請求項４】
前記遮光膜は前記シール材のコーナー部に延在し、前記コーナー部で前記遮光膜と前記上下導通材とを導通することを特徴とする請求項３に記載の電気光学装置。
【請求項５】
前記遮光膜に電気的に接続された電極は、前記シール材の形成領域に配置されていないことを特徴とする請求項３又は４に記載の電気光学装置。
【請求項６】
前記他方の基板の前記画像表示領域に画素電極を有し、前記遮光膜に電気的に接続された電極は、前記画素電極に対向することを特徴とする請求項１乃至５のいずれか一項に記載の電気光学装置。
【請求項７】
光源と、
請求項１から６のいずれか一項に記載の電気光学装置でなるライトバルブと、
前記光源から発生した光を前記ライトバルブに導光する導光部材と、
前記ライトバルブで変調された光を投射する投射光学部材とを備えることを特徴とする投射型表示装置。
【手続補正３】
【補正対象書類名】明細書
【補正対象項目名】０００４
【補正方法】変更
【補正の内容】
【０００４】
【発明が解決しようとする課題】
ＴＦＴアレイ基板から対向基板の対向電極に電位を供給するには、直接対向電極と上下導通を行っていた。
そのため、上述の如くＴＦＴアレイ基板上の画像信号線、当該画像信号線からの引き出し配線等の配線と対向基板上の対向電極とが対向配置されていると、両者間の寄生容量により、画像信号の電位変動で対向電極の電位変動が生じる。即ち、図１６において、画像信号線に供給される画像信号ＶＩＤの電位変化が、本来一定電位（但し、反転駆動時における周期的に反転する一定電位も含む）であるべき対向電極電位ＬＣＣＯＭを矢印ａに示すように変動させる。この対向電極電位ＬＣＣＯＭの変動即ち共通配線の電位変動が本来の設定電圧に復帰する前に、次段以降のデータ線の選択動作時に電気光学物質に印加される電位が不測に変化してしまうため、表示画像にゴーストが発生するという問題点がある。


【手続補正４】
【補正対象書類名】明細書
【補正対象項目名】０００９
【補正方法】変更
【補正の内容】
【０００９】
本発明は上記問題点に鑑みなされたものであり、比較的簡単な構成で、ＴＦＴアレイ基板から対向基板の対向電極との上下導通を図り、上記不具合を抑制することを課題とする。


【手続補正５】
【補正対象書類名】明細書
【補正対象項目名】００１０
【補正方法】変更
【補正の内容】
【００１０】
【課題を解決するための手段】
本発明の電気光学装置は上記課題を解決するために、一対の基板間に挟持された電気光学物質と、画像表示領域と、前記一対の基板の一方の基板に前記画像表示領域を規定する枠状の導電性の遮光膜と、前記遮光膜に電気的に接続された電極と、前記一対の基板の他方の基板からの電位を前記遮光膜を介して前記電極に供給するために、前記他方の基板に設けられた上下導通材と前記遮光膜とを導通することを特徴とする。


【手続補正６】
【補正対象書類名】明細書
【補正対象項目名】００１１
【補正方法】変更
【補正の内容】
【００１１】
本発明の電気光学装置の一態様は、前記遮光膜と前記上下導通材との導通は、複数個所で導通されることを特徴とする。


【手続補正７】
【補正対象書類名】明細書
【補正対象項目名】００１２
【補正方法】変更
【補正の内容】
【００１２】
本発明の電気光学装置の一態様は、前記遮光膜の外周に対応する一対の基板間に前記電気光学物質を封入するシール材が設けられていることを特徴とする。


【手続補正８】
【補正対象書類名】明細書
【補正対象項目名】００１３
【補正方法】変更
【補正の内容】
【００１３】
本発明の電気光学装置の一態様は、前記遮光膜は前記シール材のコーナー部に延在し、前記コーナー部で前記遮光膜と前記上下導通材とを導通することを特徴とする。


【手続補正９】
【補正対象書類名】明細書
【補正対象項目名】００１４
【補正方法】変更
【補正の内容】
【００１４】
本発明の電気光学装置の一態様は、前記遮光膜に電気的に接続された電極は、前記シール材の形成領域に配置されていないことを特徴とする。


【手続補正１０】
【補正対象書類名】明細書
【補正対象項目名】００１５
【補正方法】変更
【補正の内容】
【００１５】
本発明の電気光学装置の一態様は、前記他方の基板の前記画像表示領域に画素電極を有し、前記遮光膜に電気的に接続された電極は、前記画素電極に対向することを特徴とする。


【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】